(57)【要約】【課題】無線通信機の信号ラインからの輻射ノイズによる受信感度劣化を模擬的に測定して、正確且つ簡易に受信感度評価を行うことができる受信感度簡易評価システム及びその方法を提供することを目的とする。【解決手段】受信感度簡易評価システムはＧＴＥＭセル１とテストセット２と模擬配線装置４とを備える。模擬配線装置４は、携帯電話機３内部のノイズ発生源となるケーブル状の信号ラインを模擬した装置であり、ケーブル４０と、信号をケーブル４０に送出する信号発生器４１とを有している。所定速度の信号を信号発生器４１からケーブル４０に送出すると共に、所定周波数帯の信号Ｓをテストセット２から携帯電話機３に送信すると、ケーブル４０から輻射するノイズとテストセット２からの信号Ｓとが携帯電話機３に受信され、その受信感度が、テストセット２によって測定される。【選択図】図１
2012134905.tif 000002
【特許請求の範囲】
【請求項１】
被試験物である無線通信機を内部に収納したＴＥＭセルと、このＴＥＭセルの同軸コネクタに同軸ケーブルを通じて接続され、上記無線通信機の受信感度を測定する測定装置と、無線通信機内部の所定の配線を模擬した模擬配線装置とを備える受信感度簡易評価システムであって、
上記無線通信機は、信号を受信するための受信部と、当該受信部で受信した信号の符号誤り率を算出する符号誤り率算出部と、当該符号誤り率算出部で算出された符号誤り率を示す情報を送信する送信部とを有し、
上記測定装置は、所定の周波数帯の信号を送信する送信部と、上記無線通信機からの上記情報を受信する受信部と、当該受信部で受信した情報が示す符号誤り率に基づいて、上記無線通信機の受信感度を導出する受信感度導出部とを有し、
上記模擬配線装置は、上記無線通信機内のノイズ発生源となるケーブル状の信号ラインと同一構造であって一方端が整合終端されたケーブルが、上記無線通信機に隣接された状態で、上記ＴＥＭセル内に収納されると共に、信号を当該ケーブルに送出するための信号発生器が、上記ＴＥＭセルの外部に配された状態で、上記ケーブルの他方端に接続された構成をなす、
ことを特徴とする受信感度簡易評価システム。
【請求項２】
請求項１に記載の受信感度簡易評価システムにおいて、
上記ＴＥＭセルは、ＧＴＥＭセルであり、
上記無線通信機は、ＧＳＭ対応の携帯電話機である、
ことを特徴とする受信感度簡易評価システム。
【請求項３】
請求項１又は請求項２に記載の受信感度簡易評価システムにおいて、
上記模擬配線装置のケーブルは、差動伝送路であり、
上記模擬配線装置の信号発生器は、差動信号を上記ケーブルに送出する機器である、
ことを特徴とする受信感度簡易評価システム。
【請求項４】
請求項１ないし請求項３のいずれかに記載の受信感度簡易評価システムを用いて、上記無線通信機の受信感度を評価するための受信感度簡易評価方法であって、
上記模擬配線装置の信号発生器によって、所定速度の信号を上記ケーブルに送出すると共に、上記測定装置によって、上記所定の周波数帯内の信号を無線通信機に送信する第１の過程と、
上記測定装置によって、上記無線通信機から送信された上記情報を受信し、当該無線通信機の受信感度を測定させる第２の過程と
を具備することを特徴とする受信感度簡易評価方法。
【請求項５】
請求項４に記載の受信感度簡易評価方法において、
上記模擬配線装置の信号発生器からの信号によって生じるノイズを除去するためのフィルタを上記信号発生器と上記ケーブルの他方端との間に介設した状態で、上記第１の過程を実行する、
ことを特徴とする受信感度簡易評価方法。
【請求項６】
請求項５に記載の受信感度簡易評価方法において、
上記フィルタは、差動信号のコモンモード成分によって生じるノイズを除去するためのコモンモードチョークコイルである、
ことを特徴とする受信感度簡易評価方法。
【発明の詳細な説明】
【技術分野】
【０００１】
この発明は、携帯電話機などの無線通信機における電波受信感度の特性を評価するための受信感度簡易評価システム及びその方法に関するものである。
【背景技術】
【０００２】
従来、この種の受信感度評価システムとしては、例えば、特許文献１に開示の技術がある。
この技術は、図１０に示すように、情報を、シグナルジェネレータ２０２から測定用アンテナ２０１を通じて携帯電話機１００に送信し、携帯電話機１００の受信感度を、携帯電話機１００で受信された情報のビットエラーレートに基づいて評価するシステムである。具体的には、情報のビットエラーレートを算出する算出手段と、算出手段で算出されたビットエラーレートを数値から電波に変換する第１変換手段と、第１変換手段によって変換された電波を、アンテナ１０１を通じて、シグナルジェネレータ２０２側へ返信する返信手段とが、携帯電話機１００に設けられている。また、返信手段によって返信された電波のレベルを読み取るスペクトラムアナライザ２０３と、スペクトラムアナライザ２０３で読み取られた電波のレベルを数値に変換するパーソナルコンピュータ２０４とが、シグナルジェネレータ２０２側に設けられている。
かかる構成により、携帯電話機１００の受信状態において、どのチャンネルの受信感度が劣化するかを測定することができる。
チャンネルの受信感度を劣化させる原因は、このチャンネルが使用する周波数帯にあたるノイズである。
したがって、このノイズの発生源が携帯電話機１００のケーブル状の信号ライン１０２である場合には、図示しないフィルタを、この信号ライン１０２に挿入することで、自己中毒を最小限に抑えた携帯電話機１００を設計することができる。
【先行技術文献】
【特許文献】
【０００３】
【特許文献１】特開２００３−１８８７８７号公報
【発明の概要】
【発明が解決しようとする課題】
【０００４】
しかし、上記従来の受信感度評価システムでは、次のような問題がある。
通常、ノイズＮ１が、携帯電話機１００のケーブル状の信号ライン１０２から輻射されると、このノイズＮ１が、携帯電話機１００のアンテナ１０１に受信され、ビットエラーが信号に発生して、携帯電話機１００の受信感度が劣化する。したがって、ノイズ発生源がこの信号ライン１０２に限られるのであれば、この信号ライン１０２に図示しないフィルタを挿入することで、受信感度の劣化を防止することができる。
しかしながら、近年、携帯電話機１００の高機能化に伴い、携帯電話機１００内部の電子部品１０３や信号ライン１０２が、基板に高密度に実装される傾向にある。このため、信号ライン１０２からのノイズＮ１だけでなく、電子部品１０３から輻射したノイズＮ２もアンテナ１０１で受信されることとなる。
したがって、信号ライン１０２にノイズ源があると想定し、フィルタを信号ライン１０２に実装して、ノイズ対策を施しても、アンテナ１０１が、信号ライン１０２からのノイズＮ１だけでなく、他の電子部品１０３からのノイズＮ２をも拾ってしてしまう。かかる状態では、他の電子部品１０３からのノイズＮ２が邪魔になり、フィルタが信号ライン１０２からのノイズＮ１に効いているのか否かを判断することができず、正確な受信感度評価を行うことができない。
【０００５】
この発明は、上述した課題を解決するためになされたもので、無線通信機の信号ラインからの輻射ノイズによる受信感度劣化を模擬的に測定して、正確且つ簡易に受信感度評価を行うことができる受信感度簡易評価システム及びその方法を提供することを目的とする。
【課題を解決するための手段】
【０００６】
上記課題を解決するために、請求項１の発明は、被試験物である無線通信機を内部に収納したＴＥＭセル（Transverse ElectroMagnetic cell）と、このＴＥＭセルの同軸コネクタに同軸ケーブルを通じて接続され、無線通信機の受信感度を測定する測定装置と、無線通信機内部の所定の配線を模擬した模擬配線装置とを備える受信感度簡易評価システムであって、無線通信機は、信号を受信するための受信部と、当該受信部で受信した信号の符号誤り率を算出する符号誤り率算出部と、当該符号誤り率算出部で算出された符号誤り率を示す情報を送信する送信部とを有し、測定装置は、所定の周波数帯の信号を送信する送信部と、無線通信機からの情報を受信する受信部と、当該受信部で受信した情報が示す符号誤り率に基づいて、無線通信機の受信感度を導出する受信感度導出部とを有し、模擬配線装置は、無線通信機内のノイズ発生源となるケーブル状の信号ラインと同一構造であって一方端が整合終端されたケーブルが、無線通信機に隣接された状態で、ＴＥＭセル内に収納されると共に、信号を当該ケーブルに送出するための信号発生器が、ＴＥＭセルの外部に配された状態で、ケーブルの他方端に接続された構成をなす。
かかる構成により、無線通信機内に設けられたケーブル状の信号ラインに伝送される信号と同等の信号を、模擬配線装置の信号発生器からＴＥＭセル内のケーブルに送出することができると共に、測定装置の送信部から、所定の周波数帯の信号をＴＥＭセル内の無線通信機に送信することができる。
このとき、上記信号速度に対応した所定周波数のノイズが、模擬配線装置のケーブルから輻射されると、このノイズと測定装置の送信部からの所定の周波数帯の信号とが、無線通信機の受信部に受信される。そして、無線通信機の符号誤り率算出部によって、受信した信号の符号誤り率が算出され、算出された符号誤り率を示す情報が無線通信機の送信部から測定装置に送信される。
すると、無線通信機からの情報が測定装置の受信部によって受信された後、測定装置の受信感度導出部によって、この情報が示す符号誤り率に基づいて、無線通信機の受信感度が導出される。
したがって、ユーザは、測定装置が導出したこの受信感度を確認することで、無線通信機の受信感度が、模擬配線装置からのノイズによってどの程度抑圧されているかを知ることができる。
【０００７】
請求項２の発明は、請求項１に記載の受信感度簡易評価システムにおいて、ＴＥＭセルは、ＧＴＥＭセルであり、無線通信機は、ＧＳＭ対応の携帯電話機である構成とした。
【０００８】
請求項３の発明は、請求項１又は請求項２に記載の受信感度簡易評価システムにおいて、模擬配線装置のケーブルは、差動伝送路であり、模擬配線装置の信号発生器は、差動信号をケーブルに送出する機器である構成とした。
【０００９】
請求項４の発明は、請求項１ないし請求項３のいずれかに記載の受信感度簡易評価システムを用いて、無線通信機の受信感度を評価するための受信感度簡易評価方法であって、模擬配線装置の信号発生器によって、所定速度の信号をケーブルに送出すると共に、測定装置によって、所定の周波数帯内の信号を無線通信機に送信する第１の過程と、測定装置によって、無線通信機から送信された情報を受信し、当該無線通信機の受信感度を測定させる第２の過程とを具備する構成とした。
かかる構成により、第１の過程を実行することで、模擬配線装置の信号発生器によって、所定速度の信号をケーブルに送出すると共に、測定装置によって、所定の周波数帯内の信号を無線通信機に送信することができる。
このとき、上記信号速度に対応した所定周波数のノイズが、模擬配線装置のケーブルから輻射されると、このノイズと測定装置からの信号とが、無線通信機の受信部に受信される。そして、無線通信機の符号誤り率算出部によって、受信した信号の符号誤り率が算出され、算出された符号誤り率を示す情報が無線通信機の送信部から測定装置に送信される。
これにより、第２の過程を実行することによって、無線通信機から送信された情報が測定装置に受信され、測定装置によって、当該無線通信機の受信感度が測定される。
したがって、ユーザは、測定装置が測定したこの受信感度を確認することで、無線通信機の受信感度が、模擬配線装置からのノイズによってどの程度抑圧されているかを知ることができる。
【００１０】
請求項５の発明は、請求項４に記載の受信感度簡易評価方法において、模擬配線装置の信号発生器からの信号によって生じるノイズを除去するためのフィルタを信号発生器とケーブルの他方端との間に介設した状態で、第１の過程を実行する構成とした。
かかる構成により、無線通信機の受信感度が、模擬配線装置からのノイズによって抑圧されていることを確認した場合には、当該第１の過程を実行し、フィルタを、模擬配線装置の信号発生器とケーブルの他方端との間に介設することにより、当該ノイズを除去することができる。これにより、ノイズによる受信感度の抑圧を低減させ、受信感度を改善することができる。
【００１１】
請求項６の発明は、請求項５に記載の受信感度簡易評価方法において、フィルタは、差動信号のコモンモード成分によって生じるノイズを除去するためのコモンモードチョークコイルである構成とした。
【発明の効果】
【００１２】
以上詳しく説明したように、この発明によれば、模擬配線装置からのノイズのみによって無線通信機の受信感度がどの程度抑圧されているかを測定することができ、これにより、ノイズが実際の信号ラインから輻射されたなら生じたであろう受信感度の抑圧を予想することができるので、信号ラインからのノイズだけでなく、他の電子部品からのノイズをも重畳した信号の受信感度を測定してしまう従来の技術に比べて、より正確な受信感度評価を行うことができるという優れた効果がある。また、大型の電波暗室などを使用することなく、ＴＥＭセルを用いることで、より簡易に受信感度評価を行うことができる。
【図面の簡単な説明】
【００１３】
【図１】この発明の一実施例に係る受信感度簡易評価システムを示す斜視図である。
【図２】受信感度簡易評価システムの構成を示すブロック図である。
【図３】受信感度の評価方法を説明するためのブロック図である。
【図４】コモンモードチョークコイルを選択するために行う受信感度の評価方法を説明するためのブロック図である。
【図５】信号速度９５０ＭＨｚにおけるＥＳＧＭ帯の受信感度抑圧を示す線図である。
【図６】２種類のコモンモードチョークコイルのコモンモードの透過率を示す線図である。
【図７】図６のコモンモードチョークコイルを実装した場合におけるＥＳＧＭ帯の受信感度抑圧を示す線図である。
【図８】信号速度９８０ＭＨｚにおけるＰＣＳ帯の受信感度抑圧を示す線図である。
【図９】コモンモードチョークコイルを実装した場合におけるＰＣＳ帯の受信感度抑圧を示す線図である。
【図１０】従来の受信感度評価システムを示すブロック図である。
【発明を実施するための形態】
【００１４】
以下、この発明の最良の形態について図面を参照して説明する。
【００１５】
（実施例１）
図１は、この発明の一実施例に係る受信感度簡易評価システムを示す斜視図である。なお、図１においては、理解を容易にするため、セルの内部に収納された携帯電話機や模擬配線装置を透過して示している。
図１に示すように、この実施例の受信感度簡易評価システムは、ＧＴＥＭセル（Gigahertz Transverse ElectroMagnetic cell）１と、測定装置としてのテストセット２と、模擬配線装置４とを備えている。
【００１６】
ＧＴＥＭセル１は、電波暗箱として機能する四角錐状の箱体であり、無線通信機としての携帯電話機３や模擬配線装置４等を収納するための箱体である。ＧＴＥＭセル１は、周知のＴＥＭセルであるので、その詳細な説明は省略する。
【００１７】
テストセット２は、ＧＴＥＭセル１内に収納された携帯電話機３の受信感度を測定するための装置であり、同軸コネクタ１０に接続された同軸ケーブル１１を通じて、ＧＴＥＭセル１に接続されている。
【００１８】
図２は、受信感度簡易評価システムの構成を示すブロック図である。なお、図２においては、理解を容易にするため、二点鎖線で示すＧＴＥＭセル１内部に収納された携帯電話機や模擬配線装置を透過して示している。
携帯電話機３は、被試験物であり、この実施例では、ＧＳＭ（Global System for Mobile communications band）対応の携帯電話機である。
携帯電話機３は、一般的機能を有する携帯電話機であり、図２に示すように、アンテナ３０からの信号を受信する受信部３１と、受信部３１で受信した信号の符号誤り率を算出する符号誤り率算出部３２と、符号誤り率算出部３２で算出された符号誤り率を示す情報を送信する送信部３３とを有している。
【００１９】
模擬配線装置４は、携帯電話機３内部のノイズ発生源となるケーブル状の信号ラインを模擬した装置であり、ケーブル４０と、信号をこのケーブル４０に送出する信号発生器４１とを有している。この実施例の模擬配線装置４は、ディスプレイと画像信号の送信ＩＣとを繋ぐケーブル状の信号ライン（図１０の信号ライン１０２に相当）の配線を模擬した。
具体的には、信号発生器４１は、ケーブル４０に差動信号を送出するための機器であり、ＧＴＥＭセル１の外部に配されている。
この信号発生器４１は、画像信号である差動信号を所定の速度でディスプレイに送る送信ＩＣを模擬している。
ケーブル４０は、信号発生器４１からの差動信号を伝送するためのフレキシブルプリント基板（Flexible Printed Circuits）であり、ケーブル４０の差動線路４０Ａ，４０Ｂが、信号発生器４１の出力端４１Ａ，４１Ｂにそれぞれ接続されている。ケーブル４０は、携帯電話機３の隣に近接した状態で、ＧＴＥＭセル１内に配されている。
このケーブル４０は、ディスプレイと画像信号を送信するＩＣを繋ぐケーブル状の信号ライン等、ノイズ発生源となる信号ラインを模擬しており、その構造は、このような信号ラインと同一に設定されている。
ケーブル４０の端部には、終端抵抗４２，４２が接続され、終端抵抗４２，４２が、ディスプレイの負荷抵抗を模擬している。
【００２０】
テストセット２は、携帯電話機３の受信感度を測定するための装置である。携帯電話機３がＧＳＭ対応の機器であるため、このテストセット２も、ＧＳＭに対応しており、ＧＳＭ帯の信号の送受信を携帯電話機３との間で行うことができる構造になっている。具体的には、送信部２１と受信部２２と受信感度導出部２３とを有している。
これにより、送信部２１によってＧＳＭ帯の信号を送信し、受信部２２によって携帯電話機３からの情報を受信した後、受信感度導出部２３により、受信部２２で受信した情報が示す符号誤り率に基づいて、携帯電話機３の受信感度を導出するようになっている。このテストセット２も、周知であるので、その詳細な説明は省略する。
【００２１】
次に、この実施例の受信感度簡易評価システムを用いた評価方法について説明する。
なお、この評価方法は、この発明の受信感度簡易評価方法を具体的に実現するものでもある。
図３は、受信感度の評価方法を説明するためのブロック図である。
まず、図３に示すように、携帯電話機３において、受信部３１，符号誤り率算出部３２，送信部３３のみを動作させ、他の電子部品を非動作の状態にする。そして、携帯電話機３内の実際の信号ラインに伝送される差動信号と同等の差動信号Ｄ＋，Ｄ−を、信号発生器４１の出力端４１Ａ，４１ＢからＧＴＥＭセル１内のケーブル４０の差動線路４０Ａ，４０Ｂに送出する。これと同時に、テストセット２の送信部２１から、ＧＳＭ帯の信号ＳをＧＴＥＭセル１を通じて携帯電話機３に送信する（第１の過程）。
【００２２】
このとき、差動信号Ｄ＋，Ｄ−にコモンモード成分が生じ、差動信号Ｄ＋，Ｄ−の信号速度に対応した周波数のコモンモードノイズN１がケーブル４０から輻射されると、このノイズＮ１とテストセット２の送信部２１からの信号Ｓとが、携帯電話機３のアンテナ３０を通じて受信部３１に受信される。ノイズＮ１は、上記信号速度の高調波に対応する周波数を有した信号Ｓに重畳して、信号Ｓに対する符号誤り率を高める。
【００２３】
信号ＳとノイズＮ１とが受信部３１に受信されると、これらの信号が、符号誤り率算出部３２に送られ、符号誤り率算出部３２によって、信号Ｓの符号誤り率が算出され、算出された符号誤り率を示す情報Ｓ１が送信部３３からアンテナ３０を通じて送出される。
【００２４】
すると、携帯電話機３からの情報Ｓ１は、ＧＴＥＭセル１を通じてテストセット２の受信部２２に受信される（第２の過程）。しかる後、情報Ｓ１は、受信感度導出部２３に送られ、この情報Ｓ１が示す符号誤り率に基づいて、携帯電話機３の受信感度が導出される。
【００２５】
したがって、ユーザは、テストセット２が導出した受信感度の数値を確認することで、ＧＳＭ帯のどの信号Ｓが、ノイズＮ１によって、どの程度抑圧されたかを知ることができる。
【００２６】
次に、ノイズＮ１を除去するためのコモンモードチョークコイルを選択するために、再度、受信感度評価を行う。
図４は、コモンモードチョークコイルを選択するために行う受信感度の評価方法を説明するためのブロック図である。
かかる評価を行う場合には、まず、携帯電話機３の受信感度を抑圧する周波数のノイズＮ１を除去可能なコモンモードチョークコイル５を、模擬配線装置４の信号発生器４１とケーブル４０との間に介設する。具体的には、図４に示すように、ケーブル４０の差動線路４０Ａ，４０Ｂと信号発生器４１の出力端４１Ａ，４１Ｂとを、基板５０に接続し、コモンモードチョークコイル５をこの基板５０のパターンに実装する。これにより、コモンモードチョークコイル５が信号発生器４１とケーブル４０との間に介在した状態になる。
【００２７】
かかる状態で、上記と同様に、携帯電話機３の受信部３１，符号誤り率算出部３２，送信部３３以外を非動作の状態して、所定速度の差動信号Ｄ＋，Ｄ−を、信号発生器４１からＧＴＥＭセル１内のケーブル４０に送出すると共に、ＧＳＭ帯の信号Ｓを、テストセット２の送信部２１から携帯電話機３に送信する（第１の過程）。
【００２８】
このとき、信号発生器４１からの差動信号Ｄ＋，Ｄ−に、コモンモード成分が生じても、その大部分が、コモンモードチョークコイル５によってケーブル４０前段で除去されるので、ケーブル４０からのノイズＮ１の輻射はコモンモードチョークコイル５によって抑圧される。
したがって、テストセット２からの信号Ｓには、抑圧された小さなノイズＮ１が重畳されることになる。このため、携帯電話機３で受信された信号Ｓに対する符号誤り率は低下する。
この結果、携帯電話機３の受信感度が改善され、この改善結果を、テストセット２で確認することができる。
【００２９】
上記のような評価テストを、各種のコモンモード透過特性を有する複数のコモンモードチョークコイル５について行うことで、最適なコモンモードチョークコイル５を選択することができる。したがって、選択した最適のコモンモードチョークコイル５を、携帯電話機３の実際の信号ラインに実装することで、受信感度が良好な携帯電話機３を得ることができる。
【００３０】
発明者は、上記効果を確認すべく、次のような実験を行った。
まず、図１及び図３に示す受信感度簡易評価システムにおいて、信号発生器４１からの差動信号Ｄ＋，Ｄ−の信号振幅レベル及び信号速度をそれぞれ０．４Ｖ及び９５０Ｍｂｐｓに設定すると共に、終端抵抗４２，４２を５０Ωに設定した。
そして、信号速度９５０Ｍｂｐｓの差動信号Ｄ＋，Ｄ−を、信号発生器４１からケーブル４０に出力した。これと同時に、５０ｃｈ〜１００ｃｈ（チャンネル）のＥＧＳＭ帯の信号Ｓをテストセット２から送信して、携帯電話機３の受信感度を測定した。なお、最小受信感度は、符号誤り率が１．０％未満の最小セルパワー値として設定した。
差動信号Ｄ＋，Ｄ−の信号速度が、９５０Ｍｂｐｓであるので、９５０ＭＨｚのノイズＮ１がケーブル４０から輻射され、この周波数に対応したチャンネルがノイズＮ１によって受信感度抑圧を受けると考えられる。
図５は、信号速度９５０ＭＨｚにおけるＥＳＧＭ（Expanded Global System for Mobile communications band）帯の受信感度抑圧を示す線図である。
テストセット２の実際の測定では、図５の受信感度曲線Ｒ０で示すように、２次高調波である９５０ＭＨｚの周波数を使用する７５ｃｈが、約１１ｄＢｍの受信感度抑圧を受けるという結果を得た（但し、−１０５ｄＢｍを基準値とする）。つまり、模擬配線装置４にコモンモードチョークコイル５を設けない状態では、ノイズＮ１の周波数９５０ＭＨｚに対応した７５ｃｈが、ノイズＮ１によって受信感度抑圧を受けるということを確認した。
【００３１】
図６は、２種類のコモンモードチョークコイルのコモンモードの透過率を示す線図であり、図７は、図６のコモンモードチョークコイルを実装した場合におけるＥＳＧＭ帯の受信感度抑圧を示す線図である。
次に、図６に示すようなコモンモード透過特性を有する２つのコモンモードチョークコイル５−１，５−２を用いて、受信感度を測定した。
具体的には、図４に示す受信感度簡易評価システムにおいて、コモンモードチョークコイル５−１を基板５０に実装し、上記と同様に、９５０Ｍｂｐｓの差動信号Ｄ＋，Ｄ−を信号発生器４１から出力すると共に、５０ｃｈ〜１００ｃｈのＥＧＳＭ帯の信号Ｓをテストセット２から送信して、携帯電話機３の受信感度を測定した。すると、図７に示すように、四角形プロットの連続で示す受信感度曲線Ｒ１を得た。
次に、コモンモードチョークコイル５−２に変えて、同様の測定を行ったところ、図７に示すように、三角形プロットの連続で示す受信感度曲線Ｒ２を得た。
これらの受信感度曲線Ｒ１，Ｒ２と受信感度曲線Ｒ０とを比較すれば、明らかなようにコモンモードチョークコイル５−１，５−２を実装すると、実装しない場合に比べて、受信感度抑圧が約１０〜１１ｄＢｍ程度改善していることが判る。
また、７５ｃｈにおける受信感度曲線Ｒ２の感度（ｄＢｍ）の方が受信感度曲線Ｒ１の感度（ｄＢｍ）よりも低いので、コモンモードチョークコイル５−２の方がコモンモードチョークコイル５−１よりも受信感度改善の点で優れている。したがって、ＥＧＳＭ帯で使用する場合には、コモンモードチョークコイル５−２を携帯電話機３に実装することが好ましい。
【００３２】
次に、図１及び図３に示す受信感度簡易評価システムにおいて、９８０Ｍｂｐｓの差動信号Ｄ＋，Ｄ−を、信号発生器４１からケーブル４０に出力すると共に、６３６ｃｈ〜６８６ｃｈのＰＣＳ（Personal Communications Service）帯の信号Ｓをテストセット２から送信して、携帯電話機３の受信感度を測定した。
図８は、信号速度９８０ＭＨｚにおけるＰＣＳ帯の受信感度抑圧を示す線図であり、図９は、コモンモードチョークコイルを実装した場合におけるＰＣＳ帯の受信感度抑圧を示す線図である。
測定の結果、図８の受信感度曲線Ｒ０′で示すように、９８０ＭＨｚの高調波の周波数１９６０ＭＨｚを使用する６６１ｃｈが、約７ｄＢｍの受信感度抑圧を受けることを確認した。
【００３３】
次に、上記コモンモードチョークコイル５−１，５−２を用いて、受信感度を測定した。
すなわち、図４に示す受信感度簡易評価システムにおいて、コモンモードチョークコイル５−１，５−２を基板５０に別々に実装し、９８０Ｍｂｐｓの差動信号Ｄ＋，Ｄ−を信号発生器４１から出力すると共に、６３６ｃｈ〜６８６ｃｈのＰＣＳ帯の信号Ｓをテストセット２から送信して、携帯電話機３の受信感度を測定した。すると、図９に四角形プロット，三角形プロットの連続で示す受信感度曲線Ｒ１′，Ｒ２′を得た。
これらの受信感度曲線Ｒ１′，Ｒ２′と受信感度曲線Ｒ０′とを比較すれば明らかなように、コモンモードチョークコイル５−１，５−２を実装することで、受信感度抑圧を約５ｄＢｍ程度改善させることができる。
また、６６１ｃｈにおける受信感度曲線Ｒ１′の感度（ｄＢｍ）の方が受信感度曲線Ｒ２′の感度（ｄＢｍ）よりも低いので、ＰＣＳ帯で使用する場合には、コモンモードチョークコイル５−１を携帯電話機３に実装することが好ましい。
【００３４】
なお、この発明は、上記実施例に限定されるものではなく、発明の要旨の範囲内において種々の変形や変更が可能である。
例えば、上記実施例では、ＧＳＭ帯の信号に対する受信感度を測定するため、ＧＴＥＭセルを用いたが、低い周波数帯の信号に対する受信感度を測定する場合には、ＧＴＥＭセルでなく、ＴＥＭセルを用いることができる。
また、上記実施例では、ケーブル４０が、差動信号を伝送する信号ラインを模擬したため、ケーブル４０に差動伝送路を用いたが、ケーブルの種類は差動伝送路に限定されるものではない。
【符号の説明】
【００３５】
１…ＧＴＥＭセル、  ２…テストセット、  ３…携帯電話機、  ４…模擬配線装置、  ５，５−１，５−２…コモンモードチョークコイル、  １０…同軸コネクタ、  １１…同軸ケーブル、  ２１…送信部、  ２２…受信部、  ２３…受信感度導出部、  ３０…アンテナ、  ３１…受信部、  ３２…符号誤り率算出部、  ３３…送信部、  ４０…ケーブル、  ４０Ａ，４０Ｂ…差動線路、  ４１…信号発生器、  ４１Ａ，４１Ｂ…出力端、  ４２…終端抵抗、  ５０…基板、  Ｄ＋，Ｄ−…差動信号、  N１，Ｎ２…ノイズ、  Ｓ…信号、  Ｓ１…情報。
【図１】
2012134905.tif 000003
【図２】
2012134905.tif 000004
【図３】
2012134905.tif 000005
【図４】
2012134905.tif 000006
【図５】
2012134905.tif 000007
【図６】
2012134905.tif 000008
【図７】
2012134905.tif 000009
【図８】
2012134905.tif 000010
【図９】
2012134905.tif 000011
【図１０】
2012134905.tif 000012